【手続補正書】
【提出日】平成30年11月12日(2018.11.12)
【手続補正１】
【補正対象書類名】明細書
【補正対象項目名】発明の名称
【補正方法】変更
【補正の内容】
【発明の名称】情報処理装置
【手続補正２】
【補正対象書類名】明細書
【補正対象項目名】０００６
【補正方法】変更
【補正の内容】
【０００６】
本発明の一様態は、メインデバイスと、該メインデバイスと通信可能に接続される第１サブデバイスと、該メインデバイスと通信可能に接続される第２サブデバイスと、を有する情報処理装置であって、
前記第１サブデバイスは、前記第１サブデバイスが移行する電力状態を判定し、該判定した電力状態に対応する第１時間を前記メインデバイスに通知し、該判定した電力状態に移行し、
前記第２サブデバイスは、前記第２サブデバイスが移行する電力状態を判定し、該判定した電力状態に対応する第２時間を前記メインデバイスに通知し、
前記メインデバイスは、前記第１サブデバイスから通知された前記第１時間と前記第２サブデバイスから通知された前記第２時間とに基づいて、前記メインデバイスが移行する電力状態を判定し、該判定した電力状態に移行する
ことを特徴とする。
【手続補正３】
【補正対象書類名】特許請求の範囲
【補正対象項目名】全文
【補正方法】変更
【補正の内容】
【特許請求の範囲】
【請求項１】
メインデバイスと、該メインデバイスと通信可能に接続される第１サブデバイスと、該メインデバイスと通信可能に接続される第２サブデバイスと、を有する情報処理装置であって、
前記第１サブデバイスは、前記第１サブデバイスが移行する電力状態を判定し、該判定した電力状態に対応する第１時間を前記メインデバイスに通知し、該判定した電力状態に移行し、
前記第２サブデバイスは、前記第２サブデバイスが移行する電力状態を判定し、該判定した電力状態に対応する第２時間を前記メインデバイスに通知し、
前記メインデバイスは、前記第１サブデバイスから通知された前記第１時間と前記第２サブデバイスから通知された前記第２時間とに基づいて、前記メインデバイスが移行する電力状態を判定し、該判定した電力状態に移行する
ことを特徴とする情報処理装置。
【請求項２】
前記第１サブデバイスは、前記メインデバイスから指示を受け取ることに基づいて、前記第１サブデバイスが移行する電力状態を判定し、該判定した電力状態に対応する前記第１時間を前記メインデバイスに通知し、該判定した電力状態に移行することを特徴とする請求項１に記載の情報処理装置。
【請求項３】
前記メインデバイスは、前記第１サブデバイスおよび前記第２サブデバイスとの通信用のＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インターフェースを有し、前記第１サブデバイスおよび前記第２サブデバイスのそれぞれは、前記メインデバイスとの通信用のＰＣＩｅ（ＰｅｒｉｐｈｅｒａｌＣｏｍｐｏｎｅｎｔＩｎｔｅｒｃｏｎｎｅｃｔＥｘｐｒｅｓｓ）インターフェースを有し、前記メインデバイスはルートコンプレックスであり、前記第１サブデバイスおよび前記第２サブデバイスのそれぞれはエンドポイントであることを特徴とする請求項１または２に記載の情報処理装置。
【請求項４】
前記メインデバイスは、前記第１サブデバイスから通知された前記第１時間および前記第２サブデバイスから通知された前記第２時間のうち最も短い時間に基づいて、前記メインデバイスが移行する電力状態を判定し、該判定した電力状態に移行することを特徴とする請求項１乃至３の何れか１項に記載の情報処理装置。
【請求項５】
前記メインデバイスは、前記電力状態における消費電力よりも高い消費電力の動作状態から前記電力状態に移行することを特徴とする請求項１乃至４の何れか１項に記載の情報処理装置。
【請求項６】
更に、シート上に画像を印刷するプリンタを備えることを特徴とする請求項１乃至５の何れか１項に記載の情報処理装置。
【請求項７】
メインデバイスと、該メインデバイスと通信可能に接続される第１サブデバイスと、該メインデバイスと通信可能に接続される第２サブデバイスと、を有する情報処理装置であって、
前記第１サブデバイスは、第１電力状態および第２電力状態に移行可能であり、且つ該第１電力状態に対応する第１時間および該第２電力状態に対応する第２時間を前記メインデバイスに通知可能であり、
前記第２サブデバイスは、第３時間を前記メインデバイスに通知し、
前記メインデバイスは、シフトする電力状態を、前記第１サブデバイスから通知された前記第１時間もしくは前記第２時間と、前記第２サブデバイスから通知された前記第３時間と、に基づいて判定し、該判定した電力状態に移行する
ことを特徴とする情報処理装置。
【請求項８】
前記第１サブデバイスは、前記メインデバイスから指示を受け取ることに基づいて、前記第１電力状態または前記第２電力状態を前記第１サブデバイスが移行する電力状態として判定し、前記第１時間または前記第２時間を前記メインデバイスに通知し、該判定した電力状態に移行することを特徴とする請求項７に記載の情報処理装置。
【請求項９】
前記メインデバイスは、前記第１サブデバイスおよび前記第２サブデバイスとの通信用のＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インターフェースを有し、前記第１サブデバイスおよび前記第２サブデバイスのそれぞれは、前記メインデバイスとの通信用のＰＣＩｅ（ＰｅｒｉｐｈｅｒａｌＣｏｍｐｏｎｅｎｔＩｎｔｅｒｃｏｎｎｅｃｔＥｘｐｒｅｓｓ）インターフェースを有し、前記メインデバイスはルートコンプレックスであり、前記第１サブデバイスおよび前記第２サブデバイスのそれぞれはエンドポイントであることを特徴とする請求項７または８に記載の情報処理装置。
【請求項１０】
前記メインデバイスは、前記第１サブデバイスから通知された前記第１時間もしくは前記第２時間と、前記第２サブデバイスから通知された前記第３時間と、のうち最も短い時間に基づいて、前記メインデバイスが移行する電力状態を判定し、該判定した電力状態に移行することを特徴とする請求項７乃至９の何れか１項に記載の情報処理装置。
【請求項１１】
前記メインデバイスは、前記電力状態における消費電力よりも高い消費電力の動作状態から前記電力状態に移行することを特徴とする請求項７乃至１０の何れか１項に記載の情報処理装置。
【請求項１２】
更に、シート上に画像を印刷するプリンタを備えることを特徴とする請求項７乃至１１の何れか１項に記載の情報処理装置。
【請求項１３】
メインデバイスと、該メインデバイスと通信可能に接続される第１サブデバイスと、該メインデバイスと通信可能に接続される第２サブデバイスと、を有する情報処理装置であって、
前記第１サブデバイスは、第１時間を前記メインデバイスに通知し、
前記第２サブデバイスは、第２時間を前記メインデバイスに通知し、
前記メインデバイスは、シフトする電力状態を、少なくとも前記第１サブデバイスから通知された前記第１時間および前記第２サブデバイスから通知された前記第２時間に基づいて判定し、該判定した電力状態に移行する
ことを特徴とする情報処理装置。
【請求項１４】
前記メインデバイスは、シフトする電力状態を、前記第１時間及び前記第２時間のうちの短い時間に基づいて判定する、ことを特徴とする請求項１３に記載の情報処理装置。
【請求項１５】
前記第１サブデバイスは、前記メインデバイスから指示を受け取ることに基づいて、前記第１サブデバイスが移行する電力状態を判定し、該判定した電力状態に対応する前記第１時間を前記メインデバイスに通知し、該判定した電力状態に移行することを特徴とする請求項１３または１４に記載の情報処理装置。
【請求項１６】
前記メインデバイスは、前記第１サブデバイスおよび前記第２サブデバイスとの通信用のＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インターフェースを有し、前記第１サブデバイスおよび前記第２サブデバイスのそれぞれは、前記メインデバイスとの通信用のＰＣＩｅ（ＰｅｒｉｐｈｅｒａｌＣｏｍｐｏｎｅｎｔＩｎｔｅｒｃｏｎｎｅｃｔＥｘｐｒｅｓｓ）インターフェースを有し、前記メインデバイスはルートコンプレックスであり、前記第１サブデバイスおよび前記第２サブデバイスのそれぞれはエンドポイントであることを特徴とする請求項１３乃至１５の何れか１項に記載の情報処理装置。
【請求項１７】
前記メインデバイスは、前記電力状態における消費電力よりも高い消費電力の動作状態から前記電力状態に移行することを特徴とする請求項１３乃至１６の何れか１項に記載の情報処理装置。
【請求項１８】
更に、シート上に画像を印刷するプリンタを備えることを特徴とする請求項１３乃至１７の何れか１項に記載の情報処理装置。